(57)【要約】【課題】本発明は、特に自動お湯張り機能を持つ熱源機に関するものであって、現状お湯張りの進行状況をリモコンの表示部に文字や音声で表現するため、本来使用者が最も知りたい浴槽にどれくらい湯が溜まったかという情報が視覚的に表現されておらず、使い勝手の悪いものであった。【解決手段】熱源機１内にお湯張り量検出手段５と残り湯検知手段４を設けそれぞれの情報を自動湯張り制御手段３が受けリモコン表示部に水位低、中、高の三段階に分けて表示する。これにより視覚的にお湯張りの進行状況を使用者に知らせ使い勝手の良いシステムを供給する。【選択図】図１
2006207841.tif 000002
【特許請求の範囲】
【請求項１】
熱源機と、リモコンと、前記リモコンには熱源機のお湯張り運転の状況を示す表示手段と、お湯張り運転をＯＮ／ＯＦＦする湯張りスイッチと、湯張り完了時の水位を設定する水位設定スイッチを備え、前記熱源機には前記リモコンと熱源機間の通信を行う通信手段と、浴槽へのお湯張り運転を制御し、前記リモコン表示器へお湯張りの進行状況を「水位低」、「水位中」、「水位高」の３モードで表示するように判定し、前記通信手段を介して前記リモコンへ表示指示を送信する湯張り制御手段と、浴槽の残り湯を検知する残り湯検知手段と、湯張り量を測定する湯張り量検出手段を備え、前記湯張り制御手段はお湯張り運転開始時に前記残り湯検出手段からの情報により浴槽に残り湯無しと判定した時は、「水位低」から表示指示を行い、次に湯張り量検出手段からの情報により浴槽の循環アダプタまで湯量が達したことを検知すると「水位中」表示指示を行い、次に設定水位までに必要な湯張り量の所定の比率Ａ％に達した時に「水位高」表示指示を行う風呂制御装置。
【請求項２】
前記湯張り制御手段は前記残り湯検知手段からの情報により残り湯有りと判定した場合はお湯張り運転開始時に「水位中」から表示指示を行い、次に設定水位までに必要な湯張り量の所定の比率Ａ％に達した時に「水位高」表示指示を行う請求項１記載の風呂制御装置。
【請求項３】
前記湯張り制御手段は途中で浴槽水位を確認せず、設定水位まで継続してお湯張りを行う高速モードを有し、高速モードのお湯張り運転開始時に前記残り湯検出手段からの情報により浴槽に残り湯無しと判定した時は「水位低」から表示指示を行い、次に設定水位までに必要な湯張り量の所定の比率Ｂ％に達した時に「水位中」表示指示を行い、次に設定水位までに必要な湯張り量の所定の比率Ａ％に達した時に「水位高」表示指示を行う請求項１記載の風呂制御装置。
【発明の詳細な説明】
【技術分野】
【０００１】
本発明は、特に熱源機の浴槽へのお湯張りを制御し、リモコンにお湯張りの状況を表示する風呂制御装置に関するものである。
【背景技術】
【０００２】
従来この種の熱源機ではお湯張りの状況をリモコンで音声または文字情報で詳細に表示し、使用者に知らせる構成となっている（例えば、特許文献１参照）。
【特許文献１】特開２０００−１６１７７３号公報
【発明の開示】
【発明が解決しようとする課題】
【０００３】
しかしながら前記従来の構成ではお湯張りの進行状況を文字や音声で詳細に報知するため、本来使用者が最も知りたい浴槽にどれくらい湯が溜まったかという情報が視覚的に表現されておらず、制御処理も複雑なものになっていた。
【０００４】
また、浴槽に残り湯が無い時とある時でお湯張りシーケンスが異なるため、使用者にとっては進行状況が理解しずらくどのタイミングで入浴可能になるかが判別しにくくなっていた。
【０００５】
本発明は、前記従来の課題を解決するもので、制御処理が簡単で信頼性が高く、使用者に進行状況が容易に認識できるものである。
【課題を解決するための手段】
【０００６】
本発明は上記課題を解決するために、リモコンにお湯張りの進行状況を「水位低、中、高」の３モードで表示する表示手段を設け、熱源機がお湯張りの状況や残り湯の状態によりどのモード表示を行うかリモコンへ指示する構成とする。
【０００７】
これにより使用者にお湯張りの進行状況を視覚的に伝えるものである。
【発明の効果】
【０００８】
本発明の風呂制御装置は、熱源機のお湯張りの進行状況をリモコンへ通信により伝達し、リモコンで状態表示するものであり、構成が容易で使用者にお湯張りの進行状況を視覚的に伝えることにより使い勝手のよいシステムを提供できる。
【発明を実施するための最良の形態】
【０００９】
第１の発明は、熱源機と、リモコンと、リモコンには熱源機のお湯張り運転の状況を示す表示手段と、お湯張り運転をＯＮ／ＯＦＦする湯張りスイッチと、湯張り完了時の水位を設定する水位設定スイッチを備え、熱源機にはリモコンと熱源機間の通信を行う通信手段と、浴槽へのお湯張り運転を制御し、リモコン表示器へお湯張りの進行状況を「水位低」、「水位中」、「水位高」の３モードで表示するように判定し、通信手段を介してリモコンへ表示指示を送信する湯張り制御手段と、浴槽の残り湯を検知する残り湯検知手段と、湯張り量を測定する湯張り量検出手段を備え、湯張り制御手段はお湯張り運転開始時に残り湯検出手段からの情報により浴槽に残り湯無しと判定した時は、「水位低」から表示指示を行い、次に湯張り量検出手段からの情報により浴槽の循環アダプタまで湯量が達したことを検知すると「水位中」表示指示を行い、次に設定水位までに必要な湯張り量の所定の比率Ａ％に達した時に「水位高」表示指示を行うことにより、使用者にお湯張りの進行状況を視覚的に伝え、使い勝手のよいシステムを提供できる。
【００１０】
第２の発明は、湯張り制御手段は残り湯検知手段からの情報により残り湯有りと判定した場合はお湯張り運転開始時に「水位中」から表示指示を行い、次に設定水位までに必要な湯張り量の所定の比率Ａ％に達した時に「水位高」表示指示を行うことにより、浴槽に残り湯がある時にお湯張り運転を開始しても残り湯なしの時と同様のイメージで進行状況を表示するので、使用者がお湯張りの状況を把握しやすい。
【００１１】
第３の発明は、湯張り制御手段が途中で浴槽水位を確認せず、設定水位まで継続してお湯張りを行う高速モードを有し、高速モードのお湯張り運転開始時に前記残り湯検出手段からの情報により浴槽に残り湯無しと判定した時は「水位低」から表示指示を行い、次に設定水位までに必要な湯張り量の所定の比率Ｂ％に達した時に「水位中」表示指示を行い、次に設定水位までに必要な湯張り量の所定の比率Ａ％に達した時に「水位高」表示指示を行うことにより、途中で水位確認を行わない高速お湯張りモードでも他のモードと同じイメージで進行状況を表示するので、使用者がお湯張りの状況を把握しやすい。
【００１２】
以下、本発明の実施の形態について、図面を参照しながら説明する。なお、この実施も形態によって本発明が限定されるものではない。
【００１３】
（実施の形態１）
図１は、本発明の第１の実施の形態におけるシステム図を示すものである。
【００１４】
図１において１は熱源機、２はリモコン、３は自動湯張り制御手段、４は浴槽の残り湯検知手段、５は浴槽へのお湯張り量を検知するお湯張り量検出手段、６は通信手段、７はリモコンにお湯張りの状況を表示する表示手段、８はお湯張り運転をＯＮ／ＯＦＦする湯張りスイッチ、９はお湯張りの完了水位を設定する水位設定スイッチである。
【００１５】
図２はリモコン表示部に表示されるお湯張りの状況イメージ図である。浴槽に残り湯のない場合のお湯張り動作と表示を説明する。まず、湯張りスイッチ８を操作すると、自動湯張り制御手段３は残り湯検知手段４を用いて、浴槽に残り湯がないか確認する。その手段は水位センサを用いて浴槽水圧を検知するもの、又は風呂用のポンプを循環し、循環経路の水流スイッチがＯＮするか否かで判定するもの、及びこの両手段を複合して使用するものがある。
【００１６】
残り湯の判定を行い残り湯なしと自動湯張り制御手段３が判定した場合は、通信手段６を介してリモコンに「水位低」の表示指示を電文通信で行う。この時リモコン表示部７には図２の「水位低（ａ）」が表示される。
【００１７】
次にお湯張りを継続するが、風呂アダプタ１０（図２）までのお湯張りは数十リットルのお湯を張った後、風呂用のポンプを循環し、循環経路の水流スイッチがＯＮすれば、風呂アダプタ１０まで湯張りが進行したと判断し、水流スイッチがＯＮしなければ、さらに数十リットルのお湯張りを追加で行ったあとに循環水のチェックを繰り返すというシーケンスを通る。また、お湯張り量検出手段５では実際に湯張りした湯量を積算していく。
【００１８】
このシーケンスにより湯量が風呂アダプタ１０まで達したと自動湯張り制御手段３が判定した場合は、通信手段６を介してリモコンに「水位中」の表示指示を電文通信で行う。この時リモコン表示部７には図２の「水位中（ｂ）」が表示される。
【００１９】
次に水位設定スイッチ９の設定まで湯張りを行うためにはあと何リットルのお湯張りが必要かを自動湯張り制御手段３が算出する。この算出データと現時点までの湯張り量積算値をお湯張り量検出手段５が加算し、湯張り開始から何リットルで完了予定かを算出しておく。
【００２０】
「水位中（ｂ）」からお湯はりを進めていく途中でお湯張り量検出手段５は完了するまでの予定お湯張り湯量のＡ％の湯量がお湯張りされたことを検知すると、自動湯張り制御手段３へ報知し、通信手段６を介してリモコン２へ情報が送信される。これを受信するとリモコン表示部７には図２の「水位高（ｃ）」が表示される。
【００２１】
以上のように本実施の形態においては、使用者にお湯張りの進行状況を視覚的に伝え、使い勝手のよいシステムを提供できる。
【００２２】
（実施の形態２）
浴槽に残り湯のある状況で湯張りスイッチ８をＯＮした場合について述べる。
【００２３】
自動湯張り制御手段３は残り湯検知手段４を用いて、浴槽に残り湯がないか確認する。その手段は実施の形態１と同様である。残り湯の判定を行い残り湯ありと自動湯張り制御手段３が判定した場合は、通信手段６を介してリモコンに「水位中」の表示指示を電文通信で行う。この時リモコン表示部７には図２の「水位中（ｂ）」が表示される。
【００２４】
次に水位設定スイッチ９の設定まで湯張りを行うためにはあと何リットルのお湯張りが必要かを自動湯張り制御手段３が算出する。この算出データと現時点の浴槽内湯量（水位センサーの値または浴槽を一定温度だけ追いだきし一定温度上昇させるのに必要なｃａｌ数より浴槽内湯量を算出）をお湯張り量検出手段５が加算し、合計何リットルで完了予定かを算出しておく。
【００２５】
「水位中（ｂ）」からお湯はりを進めていく途中でお湯張り量検出手段５は完了するまでの予定の合計湯量のＡ％の湯量がお湯張りされたことを検知すると、自動湯張り制御手段３へ報知し、通信手段６を介してリモコン２へ情報が送信される。これを受信するとリモコン表示部７には図２の「水位高（ｃ）」が表示される。
【００２６】
以上のように本実施の形態においては、浴槽に残り湯がある時にお湯張り運転を開始しても残り湯なしの時と同様のイメージで進行状況を表示するので、使用者がお湯張りの状況を把握しやすい。
【００２７】
（実施の形態３）
設定水位まで継続してお湯張りを行う高速モードについて述べる。
【００２８】
湯張りスイッチ８を操作すると、自動湯張り制御手段３は残り湯検知手段４を用いて、浴槽に残り湯がないか確認する。その手段は実施の形態１と同様である。
【００２９】
残り湯の判定を行い残り湯なしと自動湯張り制御手段３が判定した場合は、通信手段６を介してリモコンに「水位低」の表示指示を電文通信で行う。この時リモコン表示部７には図２の「水位低（ａ）」が表示される。
【００３０】
次にお湯張りを開始するが、この時点で過去のお湯張り量データから設定水位に応じた完了までの必要湯量をお湯張り量検出手段５が算出する。
【００３１】
「水位低（ａ）」からお湯はりを進めていく途中でお湯張り量検出手段５は完了するまでの予定お湯張り湯量のＢ％の湯量がお湯張りされたことを検知すると、自動湯張り制御手段３へ報知し、通信手段６を介してリモコン２へ情報が送信される。これを受信するとリモコン表示部７には図２の「水位中（ｂ）」が表示される。
【００３２】
さらに、お湯はりを進めていく途中でお湯張り量検出手段５は完了するまでの予定お湯張り湯量のＡ％の湯量がお湯張りされたことを検知すると、自動湯張り制御手段３へ報知し、通信手段６を介してリモコン２へ情報が送信される。これを受信するとリモコン表示部７には図２の「水位高（ｃ）」が表示される。
【００３３】
以上のように本実施の形態においては、途中で水位確認を行わない高速お湯張りモードでも他のモードと同じイメージで進行状況を表示するので、使用者がお湯張りの状況を把握しやすい。
【産業上の利用可能性】
【００３４】
以上のように本発明にかかる風呂制御装置は、水位センサの有無の有無にかかわらず、お湯張り機能を持つ風呂制御装置として広く適用することが可能である。
【図面の簡単な説明】
【００３５】
【図１】本発明の実施の形態１、２、３におけるシステム図
【図２】本発明の実施の形態１、２、３におけるリモコン表示イメージ図
【符号の説明】
【００３６】
１  熱源機
２  リモコン
３  自動湯張り制御手段
４  残り湯検知手段
５  お湯張り量検出手段
６  通信手段
７  表示手段
８  湯張りスイッチ
９  水位設定スイッチ
１０  風呂アダプタ
【図１】
2006207841.tif 000003
【図２】
2006207841.tif 000004